(57)【特許請求の範囲】
【請求項１】
撮像系によって撮影される画像を表示する表示装置を具え、キー入力装置のシャッタキーを操作することにより、撮像系によって撮影される画像を保存することが可能なデジタルカメラにおいて、
入力装置を用いた専用モードの設定操作に応じて、表示装置の画面に、シャッタキーの操作を案内する案内メッセージを表示する手段と、
専用モードの設定操作が行なわれた後にシャッタキーが操作されたときは、その操作に応じて、撮像系によって撮影される画像を保存する手段と、
案内メッセージの表示時点から一定時間が経過する前にキー入力装置によるキー操作が行なわれたか否かを判断する手段と、
前記一定時間の経過前にキー入力装置によるキー操作が行なわれなかったときは、表示装置の画面に表示されている案内メッセージを消去し、シャッタキーの操作に待機する手段と、
前記一定時間の経過後にシャッタキー以外のキー入力装置によるキー操作が行なわれたときは、その操作に応じて、表示装置の画面に、シャッタキーの操作を案内する案内メッセージを表示する手段
とを具えていることを特徴とするデジタルカメラ。
【請求項２】
シャッタキーの操作を案内する案内メッセージは、シャッタキーの位置を示す画像である請求項１に記載のデジタルカメラ。
【請求項３】
前記一定時間の経過後にシャッタキー以外のキー操作が行なわれたときは、その操作に応じて、シャッタキー以外のキー操作であることを報知する警告音若しくはメッセージを発生する請求項１又は請求項２に記載のデジタルカメラ。
【請求項４】
前記案内メッセージを消去した後は、撮像系によって撮影される画像を表示装置に表示する請求項１乃至請求項３の何れかに記載のデジタルカメラ。
【請求項５】
前記案内メッセージは、撮像系によって撮影される画像の表示に重ねて表示する請求項１乃至請求項４の何れかに記載のデジタルカメラ。
【発明の詳細な説明】
【技術分野】
【０００１】
本発明はデジタルカメラに関し、特に、表示装置の画面にシャッタ操作の案内が表示されるデジタルカメラに関するものである。
【背景技術】
【０００２】
デジタルカメラにおいては、撮像系によって撮影される画像(スルー画)を表示装置に表示した状態でキー入力装置のシャッタキーを操作することにより、表示装置に表示されている画像を保存することが可能となっている。
この様なデジタルカメラを旅行に持参し、旅先にて風景をバックに自己の画像を撮影せんとする場合、他人にシャッタ操作を依頼することが必要となる。
【０００３】
しかしながら、近年のデジタルカメラにおいては、撮影モードとして種々のモードが用意されており、これに伴ってキー操作も複雑なものとなっているため、シャッタ操作の依頼を受けた他人が、即座にシャッタキーの位置や操作方法を理解することは困難である。特に外国での撮影においては、外国人に外国語で依頼する必要があるため、不便である。
【０００４】
そこで、撮影依頼ボタンの操作に応じて、表示装置の画面に撮影依頼のメッセージを外国語表示することが可能なデジタルカメラが提案されている(特許文献１)。
【特許文献１】特開２００４−８６００８号公報
【発明の開示】
【発明が解決しようとする課題】
【０００５】
しかしながら、表示装置の画面に撮影依頼のメッセージを外国語表示するデジタルカメラにおいては、その表示を外国人に見せるだけで、その外国人は、撮影の依頼を受けていることは容易に理解出来るものの、シャッタキーの位置や操作方法を正確に理解することは困難であり、場合によっては、シャッタキー以外のキー操作を行なってしまうことがある。
又、デジタルカメラによってシャッタキーの位置はまちまちであるため、外国に限らず、自国においても、撮影の依頼を受けた他人が、シャッタキー以外のキー操作を行なってしまう虞がある。
【０００６】
この様に、撮影の依頼を受けた他人がシャッタキー以外のキー操作を行なった場合において、撮影が正しく完了したものと誤解したとすると、画像が保存されないまま操作が終わってしまう問題があった。
【０００７】
そこで本発明の目的は、他人に撮影を依頼した場合においてシャッタキーが確実に操作されて撮影画像を保存することが出来るデジタルカメラを提供することである。
【課題を解決するための手段】
【０００８】
本発明に係るデジタルカメラは、撮像系(１)によって撮影される画像を表示する表示装置(３)を具え、キー入力装置(５)のシャッタキー(51)を操作することにより、撮像系(１)によって撮影される画像を保存することが可能であって、
入力装置(５)を用いた専用モードの設定操作に応じて、表示装置(３)の画面に、シャッタキー(51)の操作を案内する案内メッセージを表示する手段と、
専用モードの設定操作が行なわれた後にシャッタキーが操作されたときは、その操作に応じて、撮像系によって撮影される画像を保存する手段と、
案内メッセージの表示時点から一定時間が経過する前にキー入力装置(５)によるキー操作が行なわれたか否かを判断する手段と、
前記一定時間の経過前にキー入力装置(５)によるキー操作が行なわれなかったときは、表示装置(３)の画面に表示されている案内メッセージを消去し、シャッタキー(51)の操作に待機する手段と、
前記一定時間の経過後にシャッタキー(51)以外のキー入力装置(５)によるキー操作が行なわれたときは、その操作に応じて、表示装置(３)の画面に、シャッタキー(51)の操作を案内する案内メッセージを表示する手段
とを具えている。
【０００９】
上記本発明のデジタルカメラによれば、他人に撮影を依頼する場合、先ず、入力装置(５)を用いて専用モードを設定する。これによって、表示装置(３)の画面には、シャッタキー(51)の操作を案内する案内メッセージが表示される。尚、案内メッセージは、文字に限らず、イラスト等の画像によって表わすことが可能である。
この案内メッセージの表示状態でデジタルカメラを受け取った他人は、案内メッセージによってシャッタキー(51)の位置や操作方法を容易に理解することが可能である。
そして、前記一定時間の経過前に、シャッタキー(51)が正しく操作されれば、その操作に応じて、撮像系(１)によって撮影される画像が保存される。
前記一定時間の経過前にキー入力装置(５)によるキー操作が行なわれなかったときは、前記一定時間の経過時点で案内メッセージは一旦消去される。その後、シャッタキー(51)が正しく操作されれば、その操作に応じて、撮像系(１)によって撮影される画像が保存される。
前記一定時間の経過後にシャッタキー(51)以外のキー操作が行なわれたときは、その操作に応じて、表示装置(３)の画面に再度、案内メッセージが表示されることになる。この表示に従ってシャッタキー(51)が正しく操作されれば、その操作に応じて、撮像系(１)によって撮影される画像が保存されることになる。
【００１０】
具体的構成において、シャッタキー(51)の操作を案内する案内メッセージは、シャッタキー(51)の位置を示す画像である。
これによって、シャッタキー(51)の位置を視覚的に認識することが出来、シャッタキー(51)の位置を正確且つ容易に把握することが可能である。
【００１１】
他の具体的構成において、前記一定時間の経過後にシャッタキー(51)以外のキー操作が行なわれたときは、その操作に応じて、シャッタキー(51)以外のキー操作であることを報知する警告音若しくはメッセージを発生する。
これによって、シャッタキー(51)以外のキー操作を行なったことを聴覚的に認識することが出来、誤操作をより確実に把握することが可能である。
【００１２】
又、他の具体的構成において、前記案内メッセージを消去した後は、撮像系(１)によって撮影される画像(スルー画)を表示装置(３)に表示する。
これによって、保存の対象となる画像を表示装置(３)の画面で確認することが出来る。
【００１３】
更に他の具体的構成において、前記案内メッセージは、撮像系(１)によって撮影される画像(スルー画)の表示に重ねて表示する。
該具体的構成によれば、前記一定時間の経過後にシャッタキー(51)を操作する場合にも、保存の対象とする画像を表示装置(３)の画面で確認することが出来る。
【発明の効果】
【００１４】
本発明に係るデジタルカメラによれば、他人に撮影を依頼する専用モードにてシャッタキー(51)以外のキー操作が行なわれると、その都度、表示装置(３)の画面に案内メッセージが表示されて、シャッタキー(51)の正しい操作が促されるので、シャッタキー(51)が確実に操作されることとなって、撮影画像を確実に保存することが出来る。
【発明を実施するための最良の形態】
【００１５】
以下、本発明の実施の形態につき、図面に沿って具体的に説明する。
本発明に係るデジタルカメラは、図１に示す如く、撮像系(１)から得られる画像を信号処理回路(２)にて画像データに変換し、更にＪＰＥＧコーディック(13)にて圧縮した後、インタフェース(15)を経て記録媒体(６)に保存することが可能となっている。
【００１６】
撮像系(１)から信号処理回路(２)を経て得られる画像データは、表示バッファ(11)を経て液晶表示装置(３)へ供給され、スルー画として表示される。
スルー画の表示状態でキー入力装置(５)のシャッタキー(51)を操作すると、その時点で撮像系(１)によって撮影される画像が記録媒体(６)に記録されることになる。
【００１７】
キー入力装置(５)の操作に応じた各種の動作は、ＣＰＵ(７)によって制御されており、該ＣＰＵ(７)と繋がるバス(制御バス及びデータバス)には、ＳＤＲＡＭコントローラ(８)を介してＳＤＲＡＭ(９)が接続されると共に、オンスクリーン用表示メモリ(10)やフラッシュメモリ(14)が接続されている。
又、ＣＰＵ(７)には、音声出力インタフェース(12)を介してスピーカ(４)が接続されている。
【００１８】
フラッシュメモリ(14)には、後述する案内メッセージを生成するためのファームウエアが格納されており、該案内メッセージは一旦、オンスクリーン用表示メモリ(10)に読み出された後、表示バッファ(11)を経て液晶表示装置(３)にオンスクリーン表示されることになる。
【００１９】
図２は、撮影モードにて電源を投入したときの手続きを表わしており、撮影モードとしては、他人に撮影を依頼するための専用モードと通常の撮影モードとが用意されている。
先ずステップＳ１では、キー入力装置(５)の操作によって専用モードが設定されているか否かを判断する。ここで通常撮影モードが設定されているときは、ノーと判断されて、ステップＳ２に移行し、通常撮影モードの処理が実行される。
その後、ステップＳ３にて、モード切替が行なわれたか否かを判断し、イエスと判断されたときは、ステップＳ１に戻って、専用モードが設定されているか否かの判断を繰り返す。
【００２０】
キー入力装置(５)の操作によって専用モードが設定されたときは、ステップＳ１にてイエスと判断され、ステップＳ４に移行する。
ステップＳ４にてスルー画を表示し、ステップＳ５にてカメラ繰出し等のカメラモードの初期設定を行なった後、ステップＳ６では、図３(ａ)に示す案内メッセージを液晶表示装置(３)の画面にオンスクリーン表示する。該案内メッセージには、撮影を依頼するメッセージ文字とシャッタキーの位置を示す画像とが含まれている。
【００２１】
図２のステップＳ６にてオンスクリーン表示を行なった後、ステップＳ７では、２秒間以内に何らかのキー操作が行なわれたか否かを判断する。
ここでノーと判断されたときは、ステップＳ８に移行して、案内メッセージのオンスクリーン表示を消去した上でスルー画を液晶表示装置(３)の画面に表示した後、ステップＳ９にて、何らかのキー操作が行なわれたか否かを判断し、ここでイエスと判断されたとき、ステップＳ１０に移行する。
【００２２】
又、オンスクリーン表示から２秒間以内に何らかのキー操作が行なわれて、ステップＳ７にてイエスと判断されたときも、ステップＳ１０に移行する。
ステップＳ１０では、操作されたキーがシャッタキーであるか否かを判断し、ここでノーと判断されたときは、ステップＳ１３にてスピーカ(４)から警告音を発生させた後、ステップＳ６に戻って、再度、案内メッセージのオンスクリーン表示を行なう。
【００２３】
ステップＳ１０にてイエスと判断されたときは、ステップＳ１１に移行して、撮像系(１)によって撮影される画像の保存処理を実行した後、ステップＳ１２にて専用モードを脱出し、ステップＳ１の判断に戻る。
【００２４】
本発明に係るデジタルカメラによれば、他人に撮影を依頼する場合、先ず、入力装置(５)を用いて専用モードを設定する。これによって、液晶表示装置(３)の画面には、図３(ａ)の様にシャッタキー(51)の操作を案内する案内メッセージが表示される。
この表示状態でデジタルカメラを受け取った他人は、案内メッセージによってシャッタキー(51)の位置や操作方法を容易に理解することが可能である。
【００２５】
そして、案内メッセージのオンスクリーン表示から２秒間の経過前に、シャッタキー(51)が正しく操作されれば、図２のステップＳ７にてイエスと判断され、更にステップＳ１０にてイエスと判断されて、ステップＳ１１にて、撮像系(１)によって撮影される画像が保存される。
又、シャッタキー(51)以外のキー操作が行なわれたときは、ステップＳ１０にてノーと判断されて、通常の撮影モードであれば実行される当該キー操作による動作は行なわず、ステップＳ１３にて警告音を発生させた後、ステップＳ６にて案内メッセージのオンスクリーン表示が継続される。
【００２６】
前記２秒間の経過前に如何なるキー操作も行なわれなかったときは、ステップＳ７にてノーと判断されて、ステップＳ８にて、図３(ｂ)の如くスルー画が表示されることにより、図３(ａ)の案内メッセージは一旦消去される。その後、シャッタキー(51)が正しく操作されれば、ステップＳ１０にてイエスと判断され、ステップＳ１１にて、撮像系(１)によって撮影される画像が保存される。
【００２７】
これに対し、シャッタキー(51)以外のキー操作が行なわれ時は、ステップＳ１０にてノーと判断され、通常の撮影モードであれば実行される当該キー操作による動作は行なわず、ステップＳ１３にて警告音を発生させた後、ステップＳ６にて案内メッセージが再度、オンスクリーン表示されることになる。
この表示に従ってシャッタキー(51)が正しく操作されれば、ステップＳ１０にてイエスと判断され、ステップＳ１１にて、撮像系(１)によって撮影される画像が保存されるのである。
【００２８】
従って、本発明に係るデジタルカメラによれば、他人に撮影を依頼する専用モードにてシャッタキー(51)以外のキー操作が行なわれたとき、通常の撮影モードであれば実行される当該キー操作による動作は行なわず、案内メッセージが消去されていても、液晶表示装置(３)の画面に案内メッセージが表示されて、シャッタキー(51)の正しい操作が促されるので、シャッタキー(51)が確実に操作されることとなって、撮影画像を確実に保存することが出来る。
【００２９】
尚、本発明の各部構成は上記実施の形態に限らず、特許請求の範囲に記載の技術的範囲内で種々の変形が可能である。例えば、案内メッセージは、文字に限らず、イラスト等の画像によって表わすことも可能である。又、シャッタキー(51)以外のキー操作が行なわれたときに発生すべき警告音は、単なるブザー音に限らず、誤操作を報知するメッセージ音声であってもよい。
更に又、図２にステップＳ７にて設定されている２秒間は、デジタルカメラを受け取った他人が案内メッセージを確認するのに必要な時間として設定されたものであり、その値は適宜変更することが可能である。
【図面の簡単な説明】
【００３０】
【図１】本発明に係るデジタルカメラの構成を示すブロック図である。
【図２】該デジタルカメラの専用モードにおける制御手続きを表わすフローチャートである。
【図３】液晶表示装置に表示される案内メッセージとスルー画を示す図である。
【符号の説明】
【００３１】
(１)  撮像系
(３)  液晶表示装置
(５)  キー入力装置
(51)  シャッタキー
(７)  ＣＰＵ
(10)  オンスクリーン用表示メモリ
(６)  記録媒体
【図１】
0004688736.tif 000002
【図２】
0004688736.tif 000003
【図３】
0004688736.tif 000004